(57)【要約】【課題】本発明は、ＩＴＯからなる透明電極を除去してパネルの製造原価を減少させ得るプラズマディスプレイ装置を提供する。【解決手段】本発明のプラズマディスプレイ装置は、上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成され、前記第１，２電極のうち、少なくとも１つが、単一層で形成され、有効表示領域の外部の放電セルを区画する隔壁のうち、少なくともいずれか１つが、前記有効表示領域の内部の放電セルを区画する隔壁より幅が広いことを特徴とする。【選択図】図２
2007324109.tif 000002
【特許請求の範囲】
【請求項１】
上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成されるプラズマディスプレイ装置において、
前記第１，２電極のうち、少なくとも１つが、
単一層で形成され、
有効表示領域の外部の放電セルを区画する隔壁のうち、少なくともいずれか１つが、前記有効表示領域の内部の放電セルを区画する隔壁より幅が広いことを特徴とするプラズマディスプレイ装置。
【請求項２】
前記第１，２電極のうち、少なくとも１つが、
前記第３電極と交差する方向に形成されたライン部と、
前記ライン部から突出した突出部と
を備えることを特徴とする請求項１に記載のプラズマディスプレイ装置。
【請求項３】
前記有効表示領域の外部の放電セルを区画する隔壁のうち、少なくともいずれか１つの幅が、５００〜９００μｍの範囲であることを特徴とする請求項１に記載のプラズマディスプレイ装置。
【請求項４】
前記有効表示領域の外部の放電セルを区画する隔壁のうち、少なくともいずれか１つの幅が、前記有効表示領域の内部の放電セルを区画する隔壁の幅の１．２５倍〜４．５倍の範囲であることを特徴とする請求項１に記載のプラズマディスプレイ装置。
【請求項５】
映像がディスプレイされない少なくとも１つのダミーセルをさらに備えることを特徴とする請求項１に記載のプラズマディスプレイ装置。
【請求項６】
前記ダミーセルがダミー電極を備え、前記ダミー電極が、前記第１，２電極のうち、いずれか１つと同一の形状に形成されることを特徴とする請求項５に記載のプラズマディスプレイ装置。
【請求項７】
前記ダミー電極が、
前記第３電極と交差する方向に形成されたライン部と、
前記ライン部から突出した突出部と
を備えることを特徴とする請求項６に記載のプラズマディスプレイ装置。
【請求項８】
前記ダミー電極が、
３０〜６０μｍの範囲の幅を有することを特徴とする請求項６に記載のプラズマディスプレイ装置。
【請求項９】
２以上の前記ダミーセルが、前記第３電極と交差する方向に並ぶダミーラインを備えることを特徴とする請求項５に記載のプラズマディスプレイ装置。
【請求項１０】
前記プラズマディスプレイ装置の一方に形成された前記ダミーラインの個数が、２であることを特徴とする請求項９に記載のプラズマディスプレイ装置。
【請求項１１】
前記上部基板上に形成された誘電体層をさらに備え、
前記上部第１，２電極のうち、少なくとも１つが、
前記誘電体層より色が暗いことを特徴とする請求項１に記載のプラズマディスプレイ装置。
【請求項１２】
ガラスフィルタをさらに備えることを特徴とする請求項１に記載のプラズマディスプレイ装置。
【請求項１３】
前記上部基板上の有効領域の外部を覆うブラックマトリックスと、
クリアフィルタと
をさらに備えることを特徴とする請求項１に記載のプラズマディスプレイ装置。
【請求項１４】
互いに隣接した２つのライン部間の間隔が、同じであることを特徴とする請求項１に記載のプラズマディスプレイ装置。
【請求項１５】
前記下部基板が、
誘電体層と、
放電セルを区画する隔壁と、
蛍光体層と
を備えることを特徴とする請求項１に記載のプラズマディスプレイ装置。
【請求項１６】
上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成されるプラズマディスプレイ装置において、
前記第１，２電極のうち、少なくとも１つが、
単一層で形成され、
前記下部基板の最外郭部に形成された隔壁のうち、少なくともいずれか１つが、それを除外した残り隔壁より幅が広いことを特徴とするプラズマディスプレイ装置。
【請求項１７】
前記下部基板の最外郭部に形成された隔壁のうち、少なくともいずれか１つの幅が、５００〜９００μｍの範囲であることを特徴とする請求項１6に記載のプラズマディスプレイ装置。
【発明の詳細な説明】
【技術分野】
【０００１】
本発明は、プラズマディスプレイ装置に関し、さらに詳細には、プラズマディスプレイ装置に備えられるパネルに関する。
【背景技術】
【０００２】
プラズマディスプレイパネルは、上部基板と下部基板との間に形成された隔壁が１つの単位セルをなすものであって、各セル内には、ネオン（Ｎｅ）、ヘリウム（Ｈｅ）又はネオン及びヘリウムの混合気体（Ｎｅ＋Ｈｅ）のような主放電気体と少量のキセノン（Ｘｅ）とを含有する不活性ガスが充填されている。高周波電圧により放電されるとき、不活性ガスは、真空紫外線（Ｖａｃｕｕｍ  Ｕｌｔｒａｖｉｏｌｅｔ  ｒａｙｓ）を発生し、隔壁の間に形成された蛍光体を発光させることにより、画像が具現される。このようなプラズマディスプレイパネルは、薄くて軽い構成が可能なので、次世代表示装置として注目されつつある。
【０００３】
図１は、通常のプラズマディスプレイパネルの構造を示す図である。同図に示すように、プラズマディスプレイパネルは、画像がディスプレイされる表示面である上部基板１０１上にスキャン電極１０２及びサステイン電極１０３が対をなして形成された複数の維持電極対が配列された上部パネル１００、及び背面をなす下部基板１１１上に複数の前記維持電極対と交差するように複数のアドレス電極１１３が配列された下部パネル１１０が、一定の距離を隔てて平行に結合される。
【０００４】
上部パネル１００は、透明なＩＴＯ（Ｉｎｄｉｕｍ  Ｔｉｎ  Ｏｘｉｄｅ）で形成された透明電極１０２ａ，１０３ａとバス電極１０２ｂ，１０３ｂで備えられたスキャン電極１０２及びサステイン電極１０３が対をなして備えられる。スキャン電極１０２及びサステイン電極１０３は、上部誘電体層１０４により覆われ、上部誘電体層１０４上には、保護層１０５が形成される。
【０００５】
下部パネル１１０は、放電セルを区画するための隔壁１１２を備える。また、複数のアドレス電極１１３が、隔壁１１２に対して平行に配置される。アドレス電極１１３上には、Ｒ（Ｒｅｄ），Ｇ（Ｇｒｅｅｎ）、Ｂ（Ｂｌｕｅ）蛍光体１１４が塗布される。アドレス電極１１３と蛍光体１１４との間には、下部誘電体層１１５が形成される。
【０００６】
一方、従来のプラズマディスプレイパネルのスキャン電極１０２又はサステイン電極１０３を構成する透明電極１０２ａ，１０３ａは、高価のＩＴＯからなる。透明電極１０２ａ，１０３ａは、プラズマディスプレイパネルの製造原価を上昇させる原因となっている。したがって、最近では、製造費用を低減し、かつユーザが視聴するのに充分な視感特性及び駆動特性などを確保することができるプラズマディスプレイパネルを製造するのに注力している。
【発明の開示】
【発明が解決しようとする課題】
【０００７】
本発明は、上述の問題点に鑑みてなされたもので、その目的は、プラズマディスプレイ装置に備えられるパネルにおいて、ＩＴＯからなる透明電極を除去してパネルの製造原価を減少させ得るプラズマディスプレイ装置を提供することにある。
【課題を解決するための手段】
【０００８】
上記の目的を達成すべく、本発明に係るプラズマディスプレイ装置によれば、上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成され、前記第１，２電極のうち、少なくとも１つが、単一層で形成され、パネルの有効表示領域の外部に位置する放電セルを区画する隔壁のうち、少なくともいずれか１つが、前記有効表示領域の内部の放電セルを区画する隔壁より幅が広いことを特徴とする。
【０００９】
好ましくは、前記第１，２電極のうち、少なくとも１つが、前記第３電極と交差する方向に形成されたライン部と、前記ライン部から突出した突出部とを備える。
【００１０】
前記有効表示領域の外部の放電セルを区画する隔壁のうち、少なくともいずれか１つの幅が、５００〜９００μｍの範囲であることが好ましく、前記有効表示領域の内部の放電セルを区画する隔壁の幅の１．２５倍〜４．５倍の範囲であることが好ましい。
【００１１】
好ましくは、前記プラズマディスプレイ装置は、映像がディスプレイされない少なくとも１つのダミーセルをさらに備え、前記ダミーセルがダミー電極を備え、前記ダミー電極が、前記第１，２電極のうち、いずれか１つと同一の形状に形成される。
【００１２】
前記ダミー電極が、前記第３電極と交差する方向に形成されたライン部と、前記ライン部から突出した突出部とを備えることが好ましく、３０〜６０μｍの範囲の幅を有することが好ましい。
【００１３】
好ましくは、前記プラズマディスプレイ装置は、２以上の前記ダミーセルが、前記第３電極と交差する方向に並ぶダミーラインを備え、前記プラズマディスプレイ装置の一方に形成された前記ダミーラインの個数が、２であることが好ましい。
【００１４】
前記プラズマディスプレイ装置は、前記上部基板上に形成された誘電体層をさらに備え、前記上部第１，２電極のうち、少なくとも１つが、前記誘電体層より色が暗いことが好ましい。
【００１５】
好ましくは、前記プラズマディスプレイ装置は、ガラスフィルタをさらに備え、前記上部基板上の有効領域の外部を覆うブラックマトリックスと、クリアフィルタとをさらに備えることが好ましい。互いに隣接した２つのライン部間の間隔が、同じであることが好ましい。前記下部基板が、誘電体層と、放電セルを区画する隔壁と、蛍光体層とを備えることが好ましい。
【００１６】
また、上記の目的を達成すべく、本発明に係る他のプラズマディスプレイ装置によれば、上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成され、前記第１，２電極のうち、少なくとも１つが、単一層で形成され、映像がディスプレイされない少なくとも１つのダミーセルを備えることを特徴とする。
【００１７】
好ましくは、前記第１，２電極及びダミー電極のうち、少なくともいずれか１つが、前記第３電極と交差する方向に形成されたライン部と、前記ライン部から突出した突出部とを備え、前記ダミー電極が、３０〜６０μｍの範囲の幅を有することが好ましい。
【００１８】
また、上記の目的を達成すべく、本発明に係るさらに他のプラズマディスプレイ装置によれば、上部基板と、該上部基板上に形成される第１電極、第２電極及び誘電体層と、前記上部基板に対向して配置される下部基板と、該下部基板上に形成される第３電極と、前記下部基板上に形成されて放電セルを区画する隔壁とを備えて構成され、前記第１，２電極のうち、少なくとも１つが、単一層で形成され、前記下部基板の最外郭部に形成された隔壁のうち、少なくともいずれか１つが、それを除外した残り隔壁より幅が広いことを特徴とする。
【００１９】
好ましくは、前記下部基板の最外郭部に形成された隔壁のうち、少なくともいずれか１つの幅が、５００〜９００μｍの範囲である。
【発明の効果】
【００２０】
本発明に係るプラズマディスプレイ装置によれば、ＩＴＯからなる透明電極を除去することにより、プラズマディスプレイパネルの製造原価を減少させることができ、スキャン電極又はサステイン電極ラインから放電セルの中心方向又はその反対方向に突出される突出電極を形成することによって、放電開始電圧を下げ、放電セル内の放電拡散効率を上げることができる。
【発明を実施するための最良の形態】
【００２１】
以下、本発明の好ましい実施の形態を、添付図面に基づき詳細に説明する。
【００２２】
但し、本発明に係るプラズマディスプレイ装置は、本明細書に記載された実施の形態に限定されず、多数の実施の形態が存在できることは勿論である。
【００２３】
以下、添付した図２〜図１７を参照して、本発明に係るプラズマディスプレイ装置について詳細に説明する。
【００２４】
図２は、本発明に係るプラズマディスプレイ装置に備えられるパネルに対する一実施の形態を示す斜視図である。
【００２５】
同図に示すように、プラズマディスプレイパネルは、所定の間隔で合着される上部パネル２００及び下部パネル２１０を備える。維持電極対２０２，２０３に交差する方向に下部基板２１１上に形成されるアドレス電極２１３、及び下部基板２１１上に形成されて複数の放電セルを区画する隔壁２１２を備える。
【００２６】
上部パネル２００は、上部基板２０１上に対をなして形成される維持電極対２０２，２０３を備える。維持電極対２０２，２０３は、その機能に応じて、スキャン電極２０２とサステイン電極２０３とに区分される。維持電極対２０２，２０３は、放電電流を制限し、電極対間を絶縁させる上部誘電体層２０４により覆われ、上部誘電体層２０４の上面には保護膜層２０５が形成されて、ガス放電時に発生する荷電粒子のスパッタリングから上部誘電体層２０４を保護し、２次電子の放出効率を高める。
【００２７】
下部パネル２１０は、下部基板２１１上に複数の放電空間すなわち、放電セルを区画する隔壁２１２が形成される。また、下部パネルには、アドレス電極２１３が維持電極対２０２，２０３に交差する方向に配置され、下部誘電体層２１５と隔壁２１２の表面には、ガス放電時に発生した紫外線により発光して可視光が発生する蛍光体２１４が塗布される。
【００２８】
このとき、隔壁２１２は、アドレス電極２１３と並列に形成された縦隔壁２１２ａ、及びアドレス電極２１３と交差する方向に形成された横隔壁２１２ｂで構成され、放電セルを物理的に区分し、放電により生成された紫外線及び可視光が隣接した放電セルに漏れることを防止する。
【００２９】
また、本発明に係るプラズマディスプレイパネルにおいて、維持電極対２０２，２０３は、図１に示す従来の維持電極対１０２，１０３とは異なり、不透明な金属電極のみからなる。すなわち、従来の透明電極材質であるＩＴＯは使用せず、従来のバス電極の材質である銀（Ａｇ）、銅（Ｃｕ）又はクロム（Ｃｒ）等を使用して維持電極対２０２，２０３を形成する。すなわち、本発明に係るプラズマディスプレイパネルの維持電極対２０２，２０３それぞれは、従来のＩＴＯ電極を備えず、１つのバス電極の単一層（ｏｎｅ  ｌａｙｅｒ）からなる。
【００３０】
維持電極対２０２，２０３の電極ラインの幅は、３０〜６０μｍの範囲であることが好ましい。維持電極ラインの幅が前記のような範囲を有することによって、ディスプレイに必要なパネルの開口率を確保して表示映像の輝度を維持できる。
【００３１】
例えば、本発明の実施の形態に係る維持電極対２０２，２０３それぞれは、銀（Ａｇ）で形成されることが好ましく、銀（Ａｇ）は、感光性の性質を有することが好ましい。また、本発明の実施の形態に係る維持電極対２０２，２０３それぞれは、上部基板２０１に形成される上部誘電体層２０４より色が暗く、光の透過度がより低い性質を有することが好ましい。
【００３２】
電極ライン２０２ａ，２０２ｂ，２０３ａ，２０３ｂの厚さは、２〜７μｍの範囲であることが好ましい。電極ライン２０２ａ，２０２ｂ，２０３ａ，２０３ｂが前記のような範囲の厚さに形成される場合、プラズマディスプレイパネルが正常に動作できる抵抗の範囲を有し、前記パネルがディスプレイに必要な開口率を有することによって、ディスプレイ装置の前面に反射して出てくる光が、前記電極により塞がって映像の輝度が減少することを防止でき、パネルのキャパシタンスが大きく増加しなくなる。また、前記電極ライン２０２ａ，２０２ｂ，２０３ａ，２０３ｂが前記のような厚さを有することによって、その抵抗は、５０〜６５Ωの範囲であることが好ましい。
【００３３】
前記放電セルは、Ｒ（Ｒｅｄ），Ｇ（Ｇｒｅｅｎ），Ｂ（Ｂｌｕｅ）それぞれの蛍光体層２１４は、ピッチ（ｐｉｔｃｈ）が互いに同一な対称構造又は互いに異なる非対称構造であり得る。
【００３４】
図２に示すように、１つの放電セル内に維持電極２０２，２０３がそれぞれ複数の電極ラインで形成されることが好ましい。すなわち、第１維持電極２０２が２つの電極ライン２０２ａ，２０２ｂに形成され、第２維持電極２０３が放電セルの中心を基準に第１維持電極２０２と対称に配列され、２つの電極ライン２０３ａ，２０３ｂに形成されることが好ましい。前記第１，２維持電極２０２，２０３は、それぞれスキャン電極とサステイン電極であることが好ましい。これは、不透明な維持電極対２０２，２０３の使用による開口率と放電拡散効率を考慮したものである。すなわち、開口率を考慮して狭い幅を有する電極ラインを使用する一方、放電拡散効率を考慮して複数の電極ラインを使用する。このとき、電極ラインの個数は、開口率と放電拡散効率を同時に考慮して決定することが好ましい。
【００３５】
図２に示す構造は、本発明に係るプラズマパネルの構造に対する一実施の形態に過ぎないため、本発明は、図２に示すプラズマディスプレイパネル構造に限定されない。例えば、外部から発生する外部光を吸収して反射を低減する光遮断の機能、及び上部基板２０１のピュアリティー（Ｐｕｒｉｔｙ）及びコントラストを向上させる機能を果たすブラックマトリックス（ＢＭ）が上部基板２０１上に形成されることができ、前記ブラックマトリックスは、分離型及び一体型ＢＭ構造が全て可能である。ここで、分離型ＢＭは、維持電極２０２，２０３と上部基板２０１との間に形成される層（Ｂｌａｃｋ  Ｌａｙｅｒ）とブラックマトリックスとが接続されていない構造であり、一体型ＢＭは、前記層とブラックマトリックスとが接続されて一体型をなしている構造のことを意味する。また、分離型ＢＭが形成される場合、ブラックマトリックスと前記層は、異なる材質で形成されることができ、一体型ＢＭが形成される場合、ブラックマトリックスと前記層は、同じ材質で形成されることができる。
【００３６】
また、図２に示すパネルの隔壁構造は、縦隔壁２１２ａと横隔壁２１２ｂにより放電セルが閉鎖構造を有するクローズタイプを示しているが、縦隔壁のみを含むストライプタイプ又は縦隔壁上に所定の間隔で突出部が形成されたフィッシュボーン（Ｆｉｓｈ  Ｂｏｎｅ）などの構造も可能である。
【００３７】
本発明の一実施の形態は、図２に示す隔壁の構造のみならず、様々な形状の隔壁の構造も可能であろう。例えば、縦隔壁２１２ａと横隔壁２１２ｂの高さが異なる差等型隔壁構造、縦隔壁２１２ａ又は横隔壁２１２ｂのうちの少なくとも１つ以上に排気通路として使用可能なチャネルが形成されたチャネル型隔壁構造、縦隔壁２１２ａ又は横隔壁２１２ｂのうちの少なくとも１つ以上に溝が形成された溝型隔壁構造などが可能である。ここで、差等型隔壁構造である場合には、横隔壁２１２ｂの高さがより高いことが好ましく、チャネル型隔壁構造や溝型隔壁構造である場合には、横隔壁２１２ｂにチャネル又は溝が形成されることが好ましい。
【００３８】
一方、本発明の一実施の形態では、Ｒ，Ｇ及びＢ放電セルそれぞれが同じ線上に配列されるものと図示及び説明しているが、他の形状に配列されることも可能である。例えば、Ｒ，Ｇ及びＢ放電セルが三角形状に配列されるデルタタイプの配列も可能である。また、放電セルの形状も四角形状のみでなく、五角形状、六角形状などの多様な多角形状も可能である。
【００３９】
本発明に係るプラズマディスプレイパネルは、複数の放電セルを区画する隔壁のうち、最外郭部に位置する隔壁は、残り隔壁より幅がより広いことが好ましい。例えば、プラズマディスプレイパネルの横隔壁のうち、最外郭部に位置する横隔壁は、残り横隔壁より幅がより広いことが好ましく、又はプラズマディスプレイパネルの縦隔壁のうち、最外郭部に位置する縦隔壁は、残り縦隔壁より幅がより広いことが好ましい。好ましくは、前記横隔壁の幅は、５００〜９００μｍの範囲であり、横隔壁の幅が前記のような値を有するとき、隔壁の焼成後に最外郭部隔壁の変形を防止でき、内部セルの放電が外部要因により影響を受けない。
【００４０】
一方、本発明の一実施の形態によって最外郭部に位置する横隔壁又は縦隔壁を除外した残り横隔壁又は縦隔壁の幅は、２００〜４００μｍの範囲の幅を有することが好ましく、最外郭部に位置する横隔壁又は縦隔壁の幅は、残り横隔壁又は縦隔壁の幅の１．２５倍〜４．５倍の範囲であることが好ましい。すなわち、映像が表示される領域に位置する少なくとも１つの横隔壁又は縦隔壁が２００〜４００μｍの範囲の幅を有する場合に、輝度及び効率が向上するという効果がある。
【００４１】
また、プラズマディスプレイパネルは、映像がディスプレイされる有効領域と、外郭部に位置する映像がディスプレイされないダミー（ｄｕｍｍｙ）領域とで構成されることができる。ダミー領域には、プラズマディスプレイ装置の表示映像に影響を及ぼさないダミーセルが形成されることが好ましい。ダミーセルは、有効領域での放電を補助するか、またはパネル製作での信頼性を増加させる機能を果たす。
【００４２】
図３Ａ及び図３Ｂは、本発明に係るプラズマディスプレイパネルの外郭部の構造に対する一実施の形態を示す断面図であり、図３Ａは、プラズマディスプレイパネルの上段左側の外郭部の構造に対する一実施の形態を示す断面図である。
【００４３】
図３Ａに示すように、パネル最外郭部の横隔壁４０及び縦隔壁４１は、内部の隔壁より幅が広いことが好ましい。また、横隔壁４０の幅は、５００〜９００μｍの範囲であることが好ましい。パネルに備えられた複数の放電セルのうち、最外郭に位置するセル４８，４９，５０は、ダミー隔壁により区画され、同図に示すように、他の放電セルに形成された構造の電極を備えず、電極に駆動信号を供給するための電極ラインのみが伸びて通ることが好ましい。また、同図に示すように、パネル左側終端のＲ，Ｇ，Ｂの３個のセルが、ダミー隔壁により区画されることが好ましく、ダミー隔壁により区画されるセルには、他のセルに形成された突出電極が形成されていないことが好ましい。
【００４４】
また、パネルの上段には、表示映像に影響を及ぼさないダミー電極を備えるダミーセルが形成されており、同図に示すように、パネルの上段に２ライン又はそれ以上のダミーセルが形成されることが好ましい。前記ダミーセルは、映像がディスプレイされるパネルの有効領域４７の外部に形成されることが好ましい。
【００４５】
前記ダミー電極は、フローティング状態に維持されるか、または必要に応じて一定電圧が印加されることもできる。
【００４６】
ダミーセルに形成されたダミー電極４４の構造は、有効領域４２に存在する放電セル４７の電極構造と同一であることが好ましい。また、同図に示すように、有効領域４２の左側に隣接したＲ，Ｇ，Ｂの３個のセル４６もダミーセルで形成されることが好ましい。
【００４７】
本発明に係るプラズマディスプレイパネルの上段右側の外郭部の構造は、同図に示す構造と対称な構造とすることが好ましい。
【００４８】
図３Ｂは、プラズマディスプレイパネルの下段右側の外郭部の構造に対する一実施の形態を示す断面図である。
【００４９】
同図に示すように、パネル最外郭部の横隔壁６０及び縦隔壁６１は、内部の隔壁より幅が広いことが好ましい。また、上記のように、横隔壁４０の幅は、５００〜９００μｍの範囲であることが好ましい。パネルに備えられた複数の放電セルのうち、最外郭に位置するセル６８，６９，７０は、ダミー隔壁により区画され、同図に示すように、電極に駆動信号を供給するための電極ラインのみが伸びて通ることが好ましい。また、パネルの右側終端のＲ，Ｇ，Ｂの３個のセルがダミー隔壁により区画されることが好ましく、ダミー隔壁により区画されるセルには、他のセルに形成された突出電極が形成されていないことが好ましい。
【００５０】
また、パネルの下段には、表示映像に影響を及ぼさないダミー電極を備えるダミーセルが形成されており、同図に示すように、パネルの下段に２ラインのダミーセルが形成されることが好ましい。前記ダミーセルは、映像がディスプレイされるパネルの有効領域６７の外部に形成されることが好ましい。
【００５１】
ダミー電極は、フローティング状態に維持されるか、または必要に応じて一定電圧が印加され得る。
【００５２】
ダミーセルに形成されたダミー電極６４の構造は、有効領域６２に存在する放電セル６７の電極構造と同じであることが好ましい。また、同図に示すように、有効領域６２の右側に隣接したＲ，Ｇ，Ｂの３個のセル６６もダミーセルで形成されることが好ましい。
【００５３】
図３Ａ及び図３Ｂは、本発明に係るプラズマディスプレイパネルの外郭部の構造に対する一実施の形態であるから、本発明に係るプラズマディスプレイパネルの構造は、図３Ｂにより限定されない。例えば、パネルの下段に位置するダミーラインは、３以上であってもよく、有効領域４２，６２の左側又は右側に隣接したＲ，Ｇ，Ｂの３個のセル４６，６６は、ダミー隔壁により区画されて電極が形成されないこともある。また、ダミーセル又は有効領域４２，６２内の放電セルに形成された電極構造は、多様な形態が可能である。
【００５４】
本発明に係るプラズマディスプレイパネルの下段左側の外郭部の構造は、図３Ｂに示す構造と対称な構造とすることが好ましい。
【００５５】
本発明に係るプラズマディスプレイ装置は、外部光の反射を防止し、電磁波を遮蔽させ、色補正などのためにフィルタを備えることが好ましい。前記フィルタの実施の形態として、ガラス基板に上記のような機能を有するフィルムが接着された形態のガラスフィルタ又はプラスチック材質のフィルム、例えばＰＥＴ（ＰｏｌｙＥｔｈｙｌｅｎｅ  Ｔｅｒｅｐｈｔｈａｌａｔｅ）に各機能を有するフィルムが付着されたフィルム形態のクリアフィルタがプラズマディスプレイパネルに備えられることが好ましい。また、前記パネルの有効領域の外部にブラックマトリックスが形成されることが好ましく、この場合、本発明に係るプラズマディスプレイ装置は、フィルム形態のクリアフィルタを備えることが好ましい。
【００５６】
図４は、プラズマディスプレイパネルの電極配置に対する一実施の形態を示すものであって、プラズマディスプレイパネルを構成する複数の放電セルは、同図に示すように、マトリックス形態で配置されることが好ましい。複数の放電セルは、各々スキャン電極ラインＹ１〜Ｙｍ、サステイン電極ラインＺ１〜Ｚｍ及びアドレス電極ラインＸ１〜Ｘｎの交差部に設けられる。スキャン電極ラインＹ１〜Ｙｍは、順次駆動され、サステイン電極ラインＺ１〜Ｚｍは、共に駆動される。アドレス電極ラインＸ１〜Ｘｎは、奇数番目ラインと偶数番目ラインとに分割されて駆動する。
【００５７】
同図に示す電極配置は、本発明に係るプラズマパネルの電極配置に対する一実施の形態に過ぎないから、本発明は、図４に示すプラズマディスプレイパネルの電極配置及び駆動方式に限定されない。例えば、前記スキャン電極ラインＹ１〜Ｙｍのうち、２個のスキャン電極ラインが同時に駆動されるデュアルスキャン（ｄｕａｌ  ｓｃａｎ）方式も可能である。また、電極配置も、スキャン電極ラインとサステイン電極ラインが交互に配列されず、スキャン電極ライン及びサステイン電極ラインが２個ずつ順次配列される（Ｙ−Ｚ−Ｚ−Ｙ−Ｙ−Ｚ−Ｚ−Ｙ，．．．）ことも可能である。また、パネルの中央部からアドレス電極がスキャン電極ライン又はサステイン電極ライン方向に分割される構造も可能である。
【００５８】
上記のように、ダミーセルに形成された電極の構造と、有効領域内の放電セルに形成された電極構造とは同じであることが好ましい。図５〜図１５は、前記ダミーセルに形成された維持電極、及び有効領域内の放電セルに形成された維持電極構造に対する実施の形態を示す断面図である。
【００５９】
図５は、本発明に係るプラズマディスプレイパネルの維持電極構造に対する第１の実施の形態を示す断面図であって、図２に示すプラズマディスプレイパネルのうち、１つの放電セル内に形成される維持電極対２０２，２０３の配置構造のみを簡略に示した。
【００６０】
図５に示すように、本発明の第１の実施の形態に係る維持電極２０２，２０３は、基板上に放電セルの中心を基準に対称になるように対をなして形成される。維持電極それぞれは、放電セルを横切る少なくとも２つの電極ライン２０２ａ，２０２ｂ，２０３ａ，２０３ｂを備えるライン部、及び前記放電セルの中心に最も近い電極ライン２０２ａ，２０３ａに接続され、前記放電セル内において放電セルの中心方向に突出される少なくとも１つの突出電極２０２ｃ，２０３ｃを備える突出部からなる。また、同図に示すように、前記維持電極２０２，２０３それぞれは、前記２つの電極ライン２０２ａと２０２ｂ，２０３ａと２０３ｂを接続する１つのブリッジ電極２０２ｄ，２０３ｄをさらに備えることが好ましい。
【００６１】
電極ライン２０２ａ，２０２ｂ，２０３ａ，２０３ｂは、放電セルを横切って、プラズマディスプレイパネルの一方向に伸びる。本発明の第１の実施の形態に係る電極ラインは、開口率を向上させるために、幅を狭く形成する。また、放電拡散効率を向上させるために、複数の電極ライン２０２ａ，２０２ｂ，２０３ａ，２０３ｂを使用し、開口率を考慮して電極ラインの個数を決定することが好ましい。
【００６２】
電極ライン２０２ａ，２０２ｂ，２０３ａ，２０３ｂの幅は、３０〜６０μｍの範囲であることが好ましく、それによりディスプレイに必要なパネルの開口率を確保して表示映像の輝度を維持できる。
【００６３】
突出電極２０２ｃ，２０３ｃは、１つの放電セル内において放電セルの中心に最も近い電極ライン２０２ａ，２０３ａに接続され、放電セルの中心方向に突出されることが好ましい。突出電極２０２ｃ，２０３ｃは、プラズマディスプレイパネルの駆動時に放電開始電圧を下げる。電極ライン２０２ａ，２０３ａ間の距離ｃにより放電開始電圧が増加するため、本発明の第１の実施の形態では、電極ライン２０２ａ，２０３ａそれぞれに接続する突出電極２０２ｃ，２０３ｃを備える。近く形成された突出電極２０２ｃ，２０３ｃの間には、低い放電開始電圧によっても放電が開始されるため、プラズマディスプレイパネルの放電開始電圧を下げることができる。ここで、放電開始電圧は、維持電極対２０２，２０３のうち、少なくともいずれか１つの電極にパルスを供給するとき、放電が開始される電圧レベルのことを言う。
【００６４】
このような突出電極２０２ｃ，２０３ｃは、その大きさが極めて小さいため、製造工程の公差により実質的に突出電極２０２ｃ，２０３ｃの電極ライン２０２ａ，２０３ａと接続する部分の幅Ｗ１が、突出電極の終端部分の幅Ｗ２より広く形成されることができ、必要に応じてその終端の幅Ｗ２をより広くすることも可能である。
【００６５】
維持電極対２０３、２０２それぞれを構成する隣接した２電極ライン間の間隔、すなわち２０３ａと２０３ｂとの間の間隔又は２０２ａと２０２ｂとの間の間隔は、８０〜１２０μｍの範囲であることが好ましい。前記隣接した２電極ライン間の間隔が、前記のような値を有する場合、プラズマディスプレイパネルの開口率を十分に確保してディスプレイ映像の輝度を増加させることができ、放電空間内での放電拡散効率を増加させることができる。
【００６６】
突出電極２０２ｃ，２０３ｃの幅Ｗ１は、３５〜４５μｍの範囲であることが好ましい。突出電極２０２ｃ，２０３ｃの幅が前記のような値を有する場合、プラズマディスプレイパネルの開口率が小さくて、ディスプレイ装置の前面に反射されて出てくる光が、前記突出電極２０２ｃ，２０３ｃにより塞がって、映像の輝度が減少すること、を防止できる。
【００６７】
また、突出電極２０２ｃ，２０３ｃ間の間隔ａは、１５〜１６５μｍの範囲であることが好ましい。突出電極２０２ｃ，２０３ｃ間の間隔ａが、前記のような値を有する場合、突出電極２０２ｃ，２０３ｃの間に放電がしきい値以上に過発生して、電極の寿命が短縮することを防止でき、プラズマディスプレイパネルの駆動に適した放電開始電圧を有するようになる。
【００６８】
ブリッジ電極２０２ｄ，２０３ｄは、維持電極２０２，２０３それぞれを構成する２電極ライン２０２ａと２０２ｂ，２０３ａと２０３ｂを接続する。ブリッジ電極２０２ｄ，２０３ｄは、突出電極２０２ｃ，２０３ｃを介して開始した放電が、放電セルの中心から遠い電極ライン２０２ｂ，２０３ｂまで容易に拡散できるようにする。
【００６９】
このように、本発明の第１の実施の形態に係る電極構造は、電極ラインの個数を提案することによって、開口率を向上させることができる。また、突出電極２０２ｃ，２０３ｃを形成することによって、放電開始電圧を下げることができる。また、ブリッジ電極２０２ｄ，２０３ｄと放電セルの中心から遠い電極ライン２０２ｂ，２０３ｂにより放電拡散効率を増加させることにより、全体的にプラズマディスプレイパネルの発光効率を向上させることができる。すなわち、従来のプラズマディスプレイパネルの明るさと同等又はさらに明るくなることができるため、ＩＴＯ透明電極を使用しないことが可能である。
【００７０】
図６は、本発明に係るプラズマディスプレイパネルの維持電極構造に対する第２の実施の形態を示す断面図であって、図２に示すプラズマディスプレイパネルのうち、１つの放電セル内に形成される維持電極対４０２，４０３の配置構造のみを簡略に示している。
【００７１】
同図に示すように、維持電極４０２，４０３それぞれは、放電セルを横切る少なくとも２つの電極ライン４０２ａ，４０２ｂ，４０３ａ，４０３ｂと、放電セルの中心に最も近い電極ライン４０２ａ，４０３ａに接続し、放電セル内において放電セルの中心方向に突出される第１突出電極４０２ｃ，４０３ｃ、前記２つの電極ライン４０２ａと４０２ｂ，４０３ａと４０３ｂを接続するブリッジ電極４０２ｄ，４０３ｄ、及び放電セルの中心から最も遠い電極ライン４０２ｂ，４０３ｂに接続し、放電セル内において放電セルの中心の反対方向に突出される第２突出電極４０２ｅ，４０３ｅを備える。
【００７２】
電極ライン４０２ａ，４０２ｂ，４０３ａ，４０３ｂの幅は、３０〜６０μｍの範囲であることが好ましく、それによりディスプレイに必要なパネルの開口率を確保して表示映像の輝度を維持できる。
【００７３】
電極ライン４０２ａ，４０２ｂ，４０３ａ，４０３ｂは、放電セルを横切ってプラズマディスプレイパネルの一方向に伸びる。本発明の第２の実施の形態に係る維持電極ラインは、開口率を向上させるために、幅を狭く形成することが好ましい。好ましくは、電極ラインの幅Ｗ１は、２０μｍ以上７０μｍ以下にして開口率を向上させるとともに、放電が円滑に起きるようにすることが好ましい。
【００７４】
同図に示すように、放電セルの中心に近い電極ライン４０２ａ，４０３ａは、第１突出電極４０２ｃ，４０３ｃと接続され、放電セルの中心に近い電極ライン４０２ａ，４０３ａは、放電が開始されると同時に、放電拡散が始まる経路を形成する。放電セルの中心から遠い電極ライン４０２ｂ，４０３ｂは、第２突出電極４０２ｅ，４０３ｅと接続される。放電セルの中心から遠い電極ライン４０２ｂ，４０３ｂは、放電セルの周辺部まで放電を拡散する機能を果たす。
【００７５】
第１突出電極４０２ｃ，４０３ｃは、１つの放電セル内において放電セルの中心に近い電極ライン４０２ａ，４０３ａに接続され、放電セルの中心方向に突出される。好ましくは、第１突出電極は、電極ライン４０２ａ，４０３ａの中心に形成される。第１突出電極４０２ｃ，４０３ｃは、互いに対応して電極ライン中心に形成されることによって、プラズマディスプレイパネルの放電開始電圧をさらに効果的に下げることができる。
【００７６】
突出電極４０２ｃ，４０３ｃの幅Ｗ１は、３５〜４５μｍの範囲であることが好ましく、突出電極４０２ｃ，４０３ｃ間の間隔ａは、１５〜１６５μｍの範囲であることが好ましい。突出電極４０２ｃ，４０３ｃの幅及び間隔の上限値と下限値の臨界的意味は、図５を参考にして説明したものと同様なので、その説明は省略する。
【００７７】
ブリッジ電極４０２ｄ，４０３ｄは、維持電極４０２，４０３それぞれを構成する２電極ライン４０２ａと４０２ｂ，４０３ａと４０３ｂを接続する。ブリッジ電極４０２ｄ，４０３ｄは、突出電極を介して開始した放電が放電セルの中心から遠い電極ライン４０２ｂ，４０３ｂまで容易に拡散されるようにする。ここで、ブリッジ電極４０２ｄ，４０３ｄは、放電セル内に位置しているが、その必要に応じて放電セルを区画する隔壁４１２上に形成されることも可能である。
【００７８】
これにより、本発明に係るプラズマディスプレイパネルの維持電極構造に対する第２の実施の形態では、電極ライン４０２ｂ，４０３ｂと隔壁４１２との間の空間でも放電を拡散させることができる。それにより、放電拡散効率を増加させることによって、プラズマディスプレイパネルの発光効率を向上させることができる。
【００７９】
また、第２突出電極４０２ｅ，４０３ｅは、放電セルの中心から遠い電極ライン４０２ｂ，４０３ｂに接続され、放電セルの中心方向の反対方向に突出される。第２突出電極４０２ｅ，４０３ｅの長さは、５０〜１００μｍの範囲であることが好ましく、前記のような値を有することにより、放電セルの中心から遠い放電空間まで放電が効果的に拡散させることができる。
【００８０】
図６に示すように、第２突出電極４０２ｅ，４０３ｅは、放電セルを区画する隔壁４１２まで伸びることができる。また、開口率を他の部分により十分に補償され得る場合、放電拡散効率をさらに向上させるために、隔壁４１２上に一部を伸ばすことも可能である。但し、第２突出電極４０２ｅ，４０３ｅが隔壁４１２まで伸びない場合、第２突出電極４０２ｅ，４０３ｅとそれに隣接した隔壁４１２との間の間隔は、７０μｍ以下であることが好ましい。第２突出電極４０２ｅ，４０３ｅと隔壁４１２との間の間隔が７０μｍである場合、放電セルの中心から遠い放電空間まで放電が効果的に拡散されることができる。
【００８１】
本発明の維持電極構造に対する第２の実施の形態では、第２突出電極４０２ｅ，４０３ｅを電極ライン４０２ｂ，４０３ｂの中心に形成することにより、放電セルの周辺部に放電を均一に拡散させることが好ましい。
【００８２】
一方、本発明の第２の実施の形態では、放電セルを区画する隔壁のうち、第２突出電極４０２ｅ，４０３ｅが伸びる方向に位置する隔壁の幅Ｗｂを２００μｍ以下に形成することが好ましい。また、外部光を吸収して明屋コントラストを確保し、放出される放電光が隣接放電セルに拡散されて表示されることを防止するためのブラックマトリックス（図示せず）を前記隔壁４１２上に形成させることが好ましい。隔壁４１２の幅を２００μｍ以下に提案することによって、放電セルの面積が増加する。これにより、発光効率を増加させることができ、第２突出電極などにより開口率が低減することを補償できる。好ましくは、第２突出電極が伸びる方向に位置する隔壁の幅Ｗｂは、９０〜１００μｍの範囲にして最適の発光効率を得ることができる。
【００８３】
図７は、本発明に係るプラズマディスプレイパネルの維持電極構造に対する第３の実施の形態を示す断面図である。同図に示す維持電極構造のうち、図６において記述された同一の内容に対する説明は省略する。
【００８４】
同図に示すように、本発明に係る維持電極構造に対する第３の実施の形態では、維持電極６０２，６０３それぞれに２つの第１突出電極６０２ａ，６０３ａが形成される。第１突出電極６０２ａ，６０３ａは、放電セルの中心に近い電極ラインに接続され、放電セルの中心方向に突出される。好ましくは、第１突出電極６０２ａ，６０３ａそれぞれは、電極ラインの中心を基準に互いに対称に形成される。
【００８５】
第１突出電極６０２ａ，６０３ａの幅は、３５〜４５μｍの範囲であることが好ましい。前記突出電極幅の上限値と下限値の臨界的意味は、図５を参考にして説明したものと同様なので、その説明は省略する。
【００８６】
１つの電極ラインから突出した２つの第１突出電極間の間隔ｄ１，ｄ２は、プラズマディスプレイパネルが４２インチのサイズ及びＶＧＡクラスの解像度を有する場合には、５０〜１００μｍの範囲であり、プラズマディスプレイパネルが４２インチのサイズ及びＸＧＡクラスの解像度を有する場合には、３０〜８０μｍの範囲であり、プラズマディスプレイパネルが５０インチのサイズ及びＸＧＡクラスの解像度を有する場合には、４０〜９０μｍの範囲であることが好ましい。
【００８７】
第１突出電極の間隔ｄ１，ｄ２が上記のような範囲を有するとき、ディスプレイ装置に求められる映像の輝度を具現できる開口率の確保が可能となり、第１突出電極が隔壁に近接し過ぎて無効電力が増加することにより、ディスプレイに消費される電力が限界値以上に増加することを防止できる。
【００８８】
維持電極６０２，６０３それぞれに２つの第１突出電極６０２ａ，６０３ａを形成することによって、放電セルの中心での電極面積が増加する。これにより、放電が開始する前には、放電セル内に空間電荷が多く形成されて放電開始電圧がさらに低くなり、放電速度が速くなる。なお、放電が開始した後には、壁電荷量が増加して輝度が上昇し、放電が全放電セルに均一に拡散される。
【００８９】
電極ライン６０２，６０３の幅は、３０〜６０μｍの範囲であることが好ましく、それによりディスプレイに必要なパネルの開口率を確保して表示映像の輝度を維持できる。
【００９０】
また、第１突出電極６０２ａ，６０３ａ間の間隔ａ１，ａ２、すなわち電極ライン６０２，６０３と交差する方向への２突出電極間の間隔ａ１，ａ２は、１５〜１６５μｍの範囲であることが好ましい。突出電極の間隔の上限値と下限値の臨界的意味は、図５を参考にして説明したものと同様なので、その説明は省略する。
【００９１】
図８は、本発明に係るプラズマディスプレイパネルの維持電極構造に対する第４の実施の形態を示す断面図である。同図に示す電極構造のうち、図６及び図７において記述された同一の内容に対する説明は省略する。
【００９２】
図８に示すように、本発明に係る維持電極構造に対する第４の実施の形態では、維持電極７０２，７０３それぞれは、３個の第１突出電極７０２ａ，７０３ａが形成される。
【００９３】
第１突出電極７０２ａ，７０３ａは、電極ラインのうち、放電セルの中心に近い電極ラインに接続され、放電セルの中心方向に突出される。好ましくは、いずれか１つの第１突出電極は、電極ラインの中心に形成され、残り２つの第１突出電極は、電極ラインの中心を基準に互いに対称に形成されることが好ましい。維持電極７０２，７０３それぞれに３個の第１突出電極７０２ａ，７０３ａを形成することによって、図６と図７の場合より放電開始電圧がさらに低くなり、放電速度もさらに速くなる。なお、放電が開始した後には、輝度がさらに上昇し、放電が全放電セルにさらに均一に拡散される。
【００９４】
上記のように、第１突出電極の個数を増加させることによって、放電セルの中心での電極面積が増加して、放電開始電圧が低くなり、輝度が増加する。反面、放電セルの中心において最も強い放電がおき、最も明るい放電光が放出されるという点を考慮すべきである。すなわち、第１突出電極の個数が増加するほど、放電セルの中心から放出される光を遮断することによって、放出される光が顕著に減少するという点と共に、放電開始電圧と輝度効率を共に考慮して最善の個数を選択することにより、維持電極の構造を設計することが好ましい。
【００９５】
第１突出電極７０２ａ，７０３ａの幅は、３５〜４５μｍの範囲であることが好ましく、第１突出電極７０２ａ，７０３ａ間の間隔ａ１，ａ２，ａ３は、１５〜１６５μｍの範囲であることが好ましい。第１突出電極７０２ａ，７０３ａの幅及び間隔に対する前記上限値と下限値の臨界的意味は、図５を参考にして説明したものと同様なので、その説明は省略する。
【００９６】
図９は、本発明に係るプラズマディスプレイパネルの維持電極構造に対する第５の実施の形態を示す断面図であって、維持電極８００，８１０それぞれは、放電セルを横切る３個の電極ライン８００ａ，８００ｂ，８００ｃ及び電極ライン８１０ａ，８１０ｂ，８１０ｃをそれぞれ備える。電極ラインは、放電セルを横切ってプラズマディスプレイパネルの一方向に伸びる。前記電極ラインは、開口率向上のために幅が狭く形成され、好ましくは、２０〜７０μｍの範囲の幅を有するようにして、開口率を向上させると共に、放電が円滑に起きるようにする。
【００９７】
維持電極対の電極ライン８００ａ，８００ｂ，８００ｃ及び電極ライン８１０ａ，８１０ｂ，８１０ｃの幅は、３０〜６０μｍの範囲であることが好ましく、それによりディスプレイに必要なパネルの開口率を確保して表示映像の輝度を維持できる。
【００９８】
維持電極対の電極ライン８００ａ，８００ｂ，８００ｃ，８１０ａ，８１０ｂ，８１０ｃの厚さは、３〜７μｍの範囲であることが好ましく、それぞれの維持電極を構成する３個の電極ラインの間の間隔ａ１，ａ２は、互いに同一または異なることができ、電極ラインの幅ｂ１，ｂ２，ｂ３も互いに同一または異なることができる。電極ライン厚の上限値と下限値の臨界的意味は、図２を参考にして説明したものと同様なので、その説明は省略する。
【００９９】
図１０は、本発明に係るプラズマディスプレイパネルの維持電極構造に対する第６の実施の形態を示す断面図であって、維持電極９００，９１０それぞれは、放電セルを横切る４個の電極ライン９００ａ，９００ｂ，９００ｃ，９００ｄ及び電極ライン９１０ａ，９１０ｂ，９１０ｃ，９１０ｄをそれぞれ備える。前記電極ラインは、放電セルを横切ってプラズマディスプレイパネルの一方向に伸びる。電極ラインは、開口率向上のために幅が狭く形成され、好ましくは、２０〜７０μｍの範囲の幅を有するようにして、開口率を向上させるとともに、放電が円滑に起きるようにする。
【０１００】
維持電極対の電極ライン９００ａ，９００ｂ，９００ｃ，９００ｄ及び電極ライン９１０ａ，９１０ｂ，９１０ｃ，９１０ｄの幅は、３０〜６０μｍの範囲であることが好ましく、それによりディスプレイに必要なパネルの開口率を確保して表示映像の輝度を維持できる。
【０１０１】
維持電極対９００，９１０の電極ライン９００ａ，９００ｂ，９００ｃ，９００ｄ，９１０ａ，９１０ｂ，９１０ｃ，９１０ｄの厚さは、３〜７μｍの範囲であることが好ましい。電極ライン厚の上限値と下限値の臨界的意味は、図２を参考にして説明したものと同様なので、その説明は省略する。
【０１０２】
それぞれの維持電極を構成する４個の電極ライン間の間隔ｃ１，ｃ２，ｃ３は、互いに同一または異なることができ、電極ラインの幅ｄ１，ｄ２、ｄ３、ｄ４も互いに同一または異なることができる。
【０１０３】
図１１は、本発明に係るプラズマディスプレイパネルの維持電極構造に対する第７の実施の形態を示す断面図であって、維持電極１０００，１０１０それぞれは、放電セルを横切る４個の電極ライン１０００ａ，１０００ｂ，１０００ｃ，１０００ｄ及び電極ライン１０１０ａ，１０１０ｂ，１０１０ｃ，１０１０ｄをそれぞれ備える。電極ラインは、放電セルを横切ってプラズマディスプレイパネルの一方向に伸びる。
【０１０４】
維持電極対の電極ライン１０００ａ，１０００ｂ，１０００ｃ，１０００ｄ及び電極ライン１０１０ａ，１０１０ｂ，１０１０ｃ，１０１０ｄの幅は、３０〜６０μｍの範囲であることが好ましく、それによりディスプレイに必要なパネルの開口率を確保して表示映像の輝度を維持できる。
【０１０５】
維持電極対の電極ライン１０００ａ，１０００ｂ，１０００ｃ，１０００ｄ，１０１０ａ，１０１０ｂ，１０１０ｃ，１０１０ｄの厚さは、３〜７μｍの範囲であることが好ましい。電極ライン厚の上限値と下限値の臨界的意味は、図２を参考にして説明したものと同様なので、その説明は省略する。
【０１０６】
ブリッジ電極１０２０，１０３０，１０４０，１０５０，１０６０，１０７０は、それぞれ２個の電極ラインを接続する。ブリッジ電極１０２０，１０３０，１０４０，１０５０，１０６０，１０７０は、開始した放電が放電セルの中心から遠い電極ラインまで容易に拡散されるようにする。同図に示すように、ブリッジ電極１０２０，１０３０，１０４０，１０５０，１０６０，１０７０の位置は、互いに一致しなくても良く、いずれか１つのブリッジ電極１０４０は、隔壁１０８０上に位置しても良い。
【０１０７】
図１２は、本発明に係るプラズマディスプレイパネルの維持電極構造に対する第８の実施の形態を示す断面図であって、図１１に示す場合とは異なって、電極ラインを接続するブリッジ電極が同じ位置に形成されて、維持電極１１００，１１１０それぞれに対して４個の電極ライン１１００ａ，１１００ｂ，１１００ｃ，１１００ｄ及び電極ライン１１１０ａ，１１１０ｂ，１１１０ｃ，１１１０ｄをそれぞれ接続する１つのブリッジ電極１１２０，１１３０を形成させたものである。
【０１０８】
維持電極対の電極ライン１１００ａ，１１００ｂ，１１００ｃ，１１００ｄ，１１１０ａ，１１１０ｂ，１１１０ｃ，１１１０ｄの幅は、３０〜６０μｍの範囲であることが好ましく、それによりディスプレイに必要なパネルの開口率を確保して表示映像の輝度を維持できる。
【０１０９】
維持電極対の電極ライン１１００ａ，１１００ｂ，１１００ｃ，１１００ｄ，１１１０ａ，１１１０ｂ，１１１０ｃ，１１１０ｄの厚さは、３〜７μｍの範囲であることが好ましい。電極ライン厚の上限値と下限値の臨界的意味は、図２を参考にして説明したものと同様なので、その説明は省略する。
【０１１０】
図１３は、本発明に係るプラズマディスプレイパネルの維持電極構造に対する第９の実施の形態を示す断面図であって、電極ライン１２００，１２１０それぞれに対して閉ループを備える形態の突出電極１２２０，１２３０を形成させたものである。同図に示すような閉ループを備える突出電極１２２０，１２３０を介して、放電開始電圧を下げると共に、開口率を向上させることができる。突出電極及び閉ループの形態は、多様に変形することができる。
【０１１１】
維持電極対の電極ライン１２００，１２１０の幅は、３０〜６０μｍの範囲であることが好ましく、それによりディスプレイに必要なパネルの開口率を確保して表示映像の輝度を維持できる。
【０１１２】
維持電極対の電極ライン１２００，１２１０の厚さは、３〜７μｍの範囲であることが好ましい。電極ライン厚の上限値と下限値の臨界的意味は、図２を参考にして説明したものと同様なので、その説明は省略する。
【０１１３】
突出電極１２２０，１２３０の線幅Ｗ１，Ｗ２は、３５〜４５μｍの範囲であることが好ましい。突出電極１２２０，１２３０の線幅Ｗ１，Ｗ２が前記のような値を有する場合、充分なパネルの開口率を確保して、ディスプレイ装置の前面に反射されて出てくる光が前記突出電極により塞がって、映像の輝度が減少することを防止できる。
【０１１４】
また、２突出電極１２２０，１２３０間の間隔は、１５〜１６５μｍの範囲であることが好ましい。突出電極間隔の上限値と下限値の臨界的意味は、図５を参考にして説明したものと同様なので、その説明は省略する。
【０１１５】
図１４は、本発明に係るプラズマディスプレイパネルの維持電極構造に対する第１０の実施の形態を示す断面図であって、電極ライン１３００，１３１０それぞれに対して四角形状の閉ループを備える突出電極１３２０，１３３０を形成させたものである。
【０１１６】
維持電極対の電極ライン１３００，１３１０の幅は、３０〜６０μｍの範囲であることが好ましく、それによりディスプレイに必要なパネルの開口率を確保して表示映像の輝度を維持できる。
【０１１７】
維持電極対の電極ライン１３００，１３１０の厚さは、３〜７μｍの範囲であることが好ましい。電極ライン厚の上限値と下限値の臨界的意味は、図２を参考にして説明したものと同様なので、その説明は省略する。
【０１１８】
突出電極１３２０，１３３０の線幅Ｗ１，Ｗ２は、３５〜４５μｍの範囲であることが好ましい。前記突出電極１３２０，１３３０の線幅Ｗ１，Ｗ２の上限値と下限値の臨界的意味は、図１２を参考にして説明したものと同様なので、その説明は省略する。
【０１１９】
また、２突出電極１３２０，１３３０間の間隔は、１５〜１６５μｍの範囲であることが好ましい。突出電極間隔の上限値と下限値の臨界的意味は、図５を参考にして説明したものと同様なので、その説明は省略する。
【０１２０】
図１５Ａ及び図１５Ｂは、本発明に係るプラズマディスプレイパネルの維持電極構造に対する第１１の実施の形態を示す断面図であって、電極ライン１４００，１４１０それぞれに対して放電セルの中心方向に突出した第１突出電極１４２０ａ，１４２０ｂ及び第１突出電極１４３０ａ，１４３０ｂ、並びに、前記放電セルの中心方向又はその反対方向に突出した第２突出電極１４４０，１４５０（図１５Ａ）、又は、第２突出電極１４６０，１４７０（図１５Ｂ）を形成させたものである。
【０１２１】
図１５Ａに示すように、電極ライン１４００，１４１０それぞれに対して放電セルの中心方向に突出された２個の第１突出電極１４２０ａ，１４２０ｂ及び第１突出電極１４３０ａ，１４３０ｂを形成させ、放電セルの中心方向の反対方向に突出された１つの第２突出電極１４４０，１４５０を形成させることが好ましい。又は図１５Ｂに示すように、第２突出電極１４６０，１４７０は、放電セルの中心方向に突出され得る。
【０１２２】
維持電極対の電極ライン１４００，１４１０の幅は、３０〜６０μｍの範囲であることが好ましく、それによりディスプレイに必要なパネルの開口率を確保して表示映像の輝度を維持できる。
【０１２３】
維持電極対の電極ライン１４００，１４１０の厚さは、３〜７μｍの範囲であることが好ましい。前記電極ライン厚の上限値と下限値の臨界的意味は、図２を参考にして説明したものと同様なので、その説明は省略する。
【０１２４】
第１突出電極１４２０ａ，１４２０ｂ，１４３０ａ，１４３０ｂの幅は、３５〜４５μｍの範囲であることが好ましい。突出電極幅の上限値と下限値の臨界的意味は、図５を参考にして説明したものと同様なので、その説明は省略する。
【０１２５】
１つの電極ラインから突出した２つの第１突出電極間の間隔ｄ１，ｄ２は、プラズマディスプレイパネルが４２インチのサイズ及びＶＧＡクラスの解像度を有する場合には、５０〜１００μｍであり、プラズマディスプレイパネルが４２インチのサイズ及びＸＧＡクラスの解像度を有する場合には、５０〜１００μｍであり、５０インチのサイズ及びＸＧＡクラスの解像度を有する場合には、４０〜９０μｍの範囲であることが好ましい。第１突出電極間の間隔ｄ１，ｄ２の上限値と下限値の臨界的意味は、図７を参考にして説明したものと同様なので、その説明は省略する。
【０１２６】
さらに他の１つの第１突出電極間の間隔、すなわち１４２０ａと１４３０ｂとの間の間隔ａ１又は１４２０ａと１４３０ｂとの間の間隔ａ２は、１５〜１６５μｍの範囲であることが好ましい。突出電極間隔の上限値と下限値の臨界的意味は、図５を参考にして説明したものと同様なので、その説明は省略する。
【０１２７】
図１６は、上記のような構造を有する本発明に係るプラズマディスプレイパネルに対して、１つのフレームを複数のサブフィールドに分けて時分割駆動させる方法に対する一実施の形態を示すタイミング図である。単位フレームは、時分割階調表示を実現するために、所定個数、例えば８個のサブフィールドＳＦ１，．．．，ＳＦ８に分割されることができる。また、各サブフィールドＳＦ１，．．．，ＳＦ８は、リセット区間（図示せず）と、アドレス区間Ａ１，．．．，Ａ８、及びサステイン区間Ｓ１，．．．，Ｓ８に分割される。ここで、本発明の一実施の形態によれば、リセット区間は、複数のサブフィールドのうち、少なくとも１つにおいて省略できる。例えば、リセット区間は、最初のサブフィールドのみで存在するか、最初のサブフィールドと全サブフィールドのうち、中間程度のサブフィールドのみで存在することもできる。
【０１２８】
各アドレス区間Ａ１，．．．，Ａ８では、アドレス電極Ｘに表示データ信号が印加され、各スキャン電極Ｙに相応するスキャンパルスが順次印加される。
【０１２９】
各サステイン区間Ｓ１，．．．，Ｓ８では、スキャン電極Ｙ及びサステイン電極Ｚにサステインパルスが交互に印加されて、アドレス区間Ａ１，．．．，Ａ８において壁電荷が形成された放電セルにおいてサステイン放電を起こす。
【０１３０】
プラズマディスプレイパネルの輝度は、単位フレームで占めるサステイン放電区間Ｓ１，．．．，Ｓ８内のサステイン放電パルスの個数に比例する。１画像を形成する１つのフレームが、８個のサブフィールドと２５６階調で表現される場合に、各サブフィールドには、順に１，２，４，８，１６，３２，６４，１２８の割合で互いに異なるサステインパルスの数が割り当てられることができる。例えば、１３３階調の輝度を得るためには、サブフィールド１区間、サブフィールド３区間及びサブフィールド８区間の間、セルをアドレッシングしてサステイン放電すればよい。
【０１３１】
各サブフィールドに割り当てられるサステイン放電の数は、ＡＰＣ（Ａｕｔｏｍａｔｉｃ  Ｐｏｗｅｒ  Ｃｏｎｔｒｏ１）ステップによるサブフィールドの加重値に応じて可変して決定されることができる。すなわち、図１６では、１フレームを８個のサブフィールドに分割する場合を例に挙げて説明したが、本発明は、それに限定されず、１フレームを形成するサブフィールドの数を設計仕様により多様に変形することが可能である。例えば、１フレームを１２又は１６サブフィールドなどのように、８サブフィールド以上又は以下に分割して、プラズマディスプレイパネルを駆動させることができる。
【０１３２】
また、各サブフィールドに割り当てられるサステイン放電の数は、ガンマ特性やパネル特性を考慮して多様に変形することが可能である。例えば、サブフィールド４に割り当てられた階調度を８から６に下げ、サブフィールド６に割り当てられた階調度を３２から３４に上げることができる。
【０１３３】
図１７は、分割されたサブフィールドに対して、プラズマディスプレイパネルを駆動させるための駆動信号に対する一実施の形態を示すタイミング図である。
【０１３４】
まず、スキャン電極Ｙ上に正極性壁電荷を形成し、サステイン電極Ｚ上に負極性壁電荷を形成するためのプリリセット（ｐｒｅ  ｒｅｓｅｔ）区間が存在し、この後、各サブフィールドは、プリリセット区間により形成された壁電荷分布を利用して、前画面の放電セルを初期化するためのリセット区間、放電セルを選択するためのアドレス区間、及び選択された放電セルの放電を維持させるためのサステイン区間を含む。
【０１３５】
リセット区間は、セットアップ区間及びセットダウンからなり、前記セットアップ区間では、全てのスキャン電極に上昇ランプ波形が同時に印加されて、全ての放電セルで微細放電が発生し、これにより壁電荷が生成される。前記セットダウン区間には、前記上昇ランプ波形のピーク電圧より低い正極性電圧から下降する下降ランプ波形が全てのスキャン電極Ｙに同時に印加されて、全ての放電セルで消去放電が発生し、これによりセットアップ放電により生成された壁電荷及び空間電荷のうち、不要電荷を消去させる。
【０１３６】
アドレス区間には、スキャン電極に負極性のスキャン信号ｓｃａｎが順次印加され、これと同時に前記アドレス電極Ｘに正極性のデータ信号ｄａｔａが印加される。このような前記スキャン信号ｓｃａｎとデータ信号ｄａｔａとの間の電圧差と、前記リセット区間の間に生成された壁電圧とによりアドレス放電が発生して、セルが選択される。一方、前記セットダウン区間とアドレス区間との間に前記サステイン電極には、サステイン電圧（Ｖｓ）を維持する信号が印加される。
【０１３７】
前記サステイン区間には、スキャン電極とサステイン電極とに交互にサステインパルスが印加されて、スキャン電極とサステイン電極との間に面放電形態でサステイン放電が発生する。
【０１３８】
同図に示す駆動波形は、本発明に係るプラズマディスプレイパネルを駆動させるための信号に対する一実施の形態であって、同図に示す波形により本発明は限定されない。例えば、前記プリリセット区間は省略でき、同図に示す駆動信号の極性及び電圧レベルは、必要に応じて変更が可能であり、前記サステイン放電が完了した後に壁電荷消去のための消去信号がサステイン電極に印加され得る。また、前記サステイン信号がスキャン電極ＹとサステインＺ電極のうちのいずれか１つのみに印加されてサステイン放電を起こすシングルサステイン駆動も可能である。
【０１３９】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１４０】
【図１】プラズマディスプレイ装置に備えられる通常のパネルの構造を説明する図である。
【図２】本発明に係るプラズマディスプレイパネル構造に対する一実施の形態を示す斜視図である。
【図３Ａ】本発明に係るプラズマディスプレイパネルの外郭部の構造に対する一実施の形態を示す断面図である。
【図３Ｂ】本発明に係るプラズマディスプレイパネルの外郭部の構造に対する一実施の形態を示す断面図である。
【図４】プラズマディスプレイパネルの電極配置に対する一実施の形態を示す断面図である。
【図５】維持電極構造に対する第１の実施の形態を示す断面図である。
【図６】維持電極構造に対する第２の実施の形態を示す断面図である。
【図７】維持電極構造に対する第３の実施の形態を示す断面図である。
【図８】維持電極構造に対する第４の実施の形態を示す断面図である。
【図９】維持電極構造に対する第５の実施の形態を示す断面図である。
【図１０】維持電極構造に対する第６の実施の形態を示す断面図である。
【図１１】維持電極構造に対する第７の実施の形態を示す断面図である。
【図１２】維持電極構造に対する第８の実施の形態を示す断面図である。
【図１３】維持電極構造に対する第９の実施の形態を示す断面図である。
【図１４】維持電極構造に対する第１０の実施の形態を示す断面図である。
【図１５Ａ】維持電極構造に対する第１１の実施の形態を示す断面図である。
【図１５Ｂ】維持電極構造に対する第１１の実施の形態を示す断面図である。
【図１６】１つのフレームを複数のサブフィールドに分けてプラズマディスプレイパネルを時分割駆動させる方法に対する一実施の形態を示すタイミング図である。
【図１７】プラズマディスプレイパネルを駆動させるための駆動信号に対する一実施の形態を示すタイミング図である。
【図１】
2007324109.tif 000003
【図２】
2007324109.tif 000004
【図３Ａ】
2007324109.tif 000005
【図３Ｂ】
2007324109.tif 000006
【図４】
2007324109.tif 000007
【図５】
2007324109.tif 000008
【図６】
2007324109.tif 000009
【図７】
2007324109.tif 000010
【図８】
2007324109.tif 000011
【図９】
2007324109.tif 000012
【図１０】
2007324109.tif 000013
【図１１】
2007324109.tif 000014
【図１２】
2007324109.tif 000015
【図１３】
2007324109.tif 000016
【図１４】
2007324109.tif 000017
【図１５Ａ】
2007324109.tif 000018
【図１５Ｂ】
2007324109.tif 000019
【図１６】
2007324109.tif 000020
【図１７】
2007324109.tif 000021